(57)【要約】【課題】チャネル設定を容易かつ確実に行うことができるテレメータ受信装置を提供すること。【解決手段】受信部１１０は、受信信号をチャネルスキャンして受信信号を復調する。チャネル検出部１２０は、受信部１１０により復調された信号の信号強度を閾値判定し、閾値以上の信号強度が得られたチャネルを候補チャネルとして検出する。この候補チャネルは、表示部１０１に表示される。画面切換キー１０４は、ユーザー操作に応じて候補チャネルを監視チャネルに設定する操作部として機能する。【選択図】図４
2015123187.tif 000002
【特許請求の範囲】
【請求項１】
医療用のテレメータ送信機からの信号を受信するテレメータ受信装置であって、
受信信号をチャネルスキャンして受信復調する受信部と、
前記受信部によって受信復調された信号の信号強度を閾値判定し、閾値以上の信号強度が得られたチャネルを候補チャネルとして検出するチャネル検出部と、
前記チャネル検出部によって検出された前記候補チャネルを表示する表示部と、
ユーザー操作に応じて、前記候補チャネルを監視チャネルに設定する操作部と、
を具備するテレメータ受信装置。
【請求項２】
前記受信部及び前記チャネル検出部は、１チャネルずつ順次、復調及び閾値判定を行っていき、前記閾値以上のチャネルを前記候補チャネルとして検出した場合には、それ以降のチャネルのスキャンは一旦中止し、
検出した前記候補チャネルを前記表示部に表示する、
請求項１に記載のテレメータ受信装置。
【請求項３】
前記受信部及び前記チャネル検出部は、再度チャネルスキャンを開始する場合には、前記候補チャネルを検出するまでにスキャンしたチャネル以外のチャネルをスキャンする、
請求項２に記載のテレメータ受信装置。
【請求項４】
医療用のテレメータ送信機からの信号を受信するテレメータ受信方法であって、
受信信号をチャネルスキャンして受信復調するステップと、
受信復調された信号の信号強度を閾値判定するステップと、
閾値以上の信号強度が得られたチャネルを候補チャネルとして表示するステップと、
ユーザー操作に応じて、前記候補チャネルを監視チャネルに設定するステップと、
を含むテレメータ受信方法。
【請求項５】
医療用のテレメータ送信機からの信号を受信するテレメータ受信方法であって、
受信信号を帯域スキャンして受信復調する第１の復調ステップと、
前記第１の復調ステップで受信復調された信号の信号強度を閾値判定する第１の閾値判定ステップと、
前記受信信号を、閾値以上の信号強度が得られた帯域内に含まれるチャネルでチャネルスキャンして受信復調する第２の復調ステップと、
前記第２の復調ステップで受信復調された信号の信号強度を閾値判定する第２の閾値判定ステップと、
前記第２の閾値判定ステップで閾値以上の信号強度が得られたチャネルを候補チャネルとして表示するステップと、
ユーザー操作に応じて、前記候補チャネルを監視チャネルに設定するステップと、
を含むテレメータ受信方法。
【発明の詳細な説明】
【技術分野】
【０００１】
本発明は、医療用のテレメータ送信機からの信号を受信するテレメータ受信装置及びテレメータ受信方法に関する。
【背景技術】
【０００２】
医療用のテレメータシステムは、電波を用いて、心電図などの生体情報信号を離れた場所でモニタリングすることができるので、医療サービスの向上や医療従事者の負担軽減を支援するツールとしてなくてはならない存在になっている。
【０００３】
医療用のテレメータシステムは、一般に、センサーと、テレメータ送信機と、テレメータ受信機から構成される（例えば特許文献１参照）。ここで、センサーと送信機が、一体になっているものと、別体になっているものがある。本明細書では、センサーと送信機が一体となっているもの、及び、センサーと送信機が別体になっているもの、いずれも、テレメータ送信機と呼ぶことにする。
【０００４】
近年では、携帯型のテレメータ送信機が広く普及している。携帯型のテレメータ送信機は、患者の身体に装着できる程度に小型軽量化されており、患者がベッドから離れても生体情報を取得できるので便利である。テレメータ送信機は、心電図波形、呼吸波形、脈波波形、血圧、体温、酸素飽和度などの生体情報を取得し、この生体情報を無線にて送信する。
【０００５】
テレメータ受信機は、テレメータ送信機から無線送信された生体情報を復調し、復調した生体情報を表示部に表示する。このテレメータ受信機の形態として、据置型のものと携帯型のものがある。据置型のテレメータ受信機は、病院内の例えば天井裏に配設されたアンテナシステムと、ナースステーションに置かれたセントラルモニタとにより構成されており、テレメータ送信機から送信された生体情報信号をアンテナシステムで受信し、それをセントラルモニタで復調して表示する。
【０００６】
一方、携帯型のテレメータ受信機は、受信部と表示部が携帯可能な大きさで一体化されている。携帯型のテレメータ受信機を用いれば、何時でも何処でも患者の生体情報を見ることができるので非常に便利である。例えば携帯型のテレメータ受信機を用いれば、テレメータ送信機を装着してリハビリテーションを行っている患者の近くで、患者の生体情報を確認しながら安全にリハビリテーションを実施することが可能となり、患者への負荷を変更するなど、柔軟なリハビリテーションを実施することができるようになる。また、携帯型のテレメータ受信機を用いれば、テレメータ送信機を装着して検査を行っている被検者の近くで、被検者の生体情報を確認しながら、安全に検査を実施することが可能となる。
【０００７】
ここで、個々のテレメータ送信機には専用のチャネル（送信周波数）が予め割り当てられている。テレメータ送信機は、割り当てられたチャネルを用いて、患者から検出した生体情報を無線送信する。テレメータ受信機は、テレメータ送信機から送信されたチャネルの信号を復調することで生体情報を得る。
【先行技術文献】
【特許文献】
【０００８】
【特許文献１】特開２００３−０１０１３８号公報
【発明の概要】
【発明が解決しようとする課題】
【０００９】
ところで、テレメータ送信機から送信されたチャネルの信号をテレメータ受信機によって復調するためには、テレメータ受信機の受信チャネルをテレメータ送信機の送信チャネルに一致するように設定する必要がある。この受信チャネルの設定は、管理者による手入力により行われる。具体的には、管理者は、テレメータ送信機にラベル表示や液晶画面表示されたテレメータ送信機のチャネルを見ながら、そのチャネルに一致するようにテレメータ受信機のチャネルを設定する。この際、管理者は、テレメータ受信機に設けられた操作キー（例えば、数字キー）を用いてチャネルを設定する。
【００１０】
このチャネルの設定には、一般に、４桁の数字を入力する必要がある。もし入力ミスをしてチャネル設定を間違うと、意図したテレメータ送信機によって送信された生体情報をテレメータ受信機によって受信できなくなり、その結果、意図した患者の生体情報をモニタできなくなったり、意図しない患者の生体情報をモニタするなどの取り違えが発生する。このため、病院内でテレメータシステムを取り扱う管理者は、チャネル設定をミス無く行うといった作業を多数のテレメータ受信機に対して行わなければならず、手間がかかった。特に、大規模な病院では、１００台以上のテレメータ送信機を所有しているので、各々のテレメータ送信機に対応するようにテレメータ受信機の受信チャネルを設定するのは非常に煩雑である。
【００１１】
また、テレメータ受信機がチャネルスキャンを行うことでテレメータ送信機のチャネルを自動的に検出すれば、管理者による手入力の手間が省かれてチャネル設定が容易になると考えられる。しかしながら、特に複数のテレメータ送信機が存在するような環境下では、目的とするテレメータ送信機とは異なるテレメータ送信機のチャネルを誤検出してしまうおそれがある。このような誤検出が生じると、上述したような意図しない患者の生体情報をモニタするなどの取り違えが発生してしまう。特にテレメータシステムを使用して生体情報のモニタが行われている患者は、重症患者である場合が多いので、このような取り違えは重大な医療事故に繋がるおそれがある。よって、より確実なチャネル設定を行うことが望まれる。
【００１２】
本発明は、以上の点を考慮してなされたものであり、チャネル設定を容易かつ確実に行うことができ、モニタする患者の取り違えによる医療事故を防ぐことができるテレメータ受信装置及びテレメータ受信方法を提供する。
【課題を解決するための手段】
【００１３】
本発明のテレメータ受信装置の一つの態様は、
医療用のテレメータ送信機からの信号を受信するテレメータ受信装置であって、
受信信号をチャネルスキャンして受信復調する受信部と、
前記受信部によって受信復調された信号の信号強度を閾値判定し、閾値以上の信号強度が得られたチャネルを候補チャネルとして検出するチャネル検出部と、
前記チャネル検出部によって検出された前記候補チャネルを表示する表示部と、
ユーザー操作に応じて、前記候補チャネルを監視チャネルに設定する操作部と、
を具備する。
【００１４】
本発明のテレメータ受信方法の一つの態様は、
医療用のテレメータ送信機からの信号を受信するテレメータ受信方法であって、
受信信号をチャネルスキャンして受信復調するステップと、
受信復調された信号の信号強度を閾値判定するステップと、
閾値以上の信号強度が得られたチャネルを候補チャネルとして表示するステップと、
ユーザー操作に応じて、前記候補チャネルを監視チャネルに設定するステップと、
を含む。
【発明の効果】
【００１５】
本発明によれば、チャネル設定を容易かつ確実に行うことができ、患者の取り違えによる医療事故を防ぐことができるようになる。
【図面の簡単な説明】
【００１６】
【図１】実施の形態に係る医療用テレメータシステムの構成を示す概略図
【図２】テレメータ受信機の外観構成を示す斜視図
【図３】表示部に表示された表示画面の例を示す図
【図４】テレメータ受信機の構成を示すブロック図
【図５】テレメータ受信機のチャネル設定手順を示すフローチャート
【図６】本実施の形態によるチャネル設定の説明に供する図
【図７】医用テレメータシステムのバンド及び周波数割り当てを示す図
【図８】テレメータ受信機のチャネル設定手順を示すフローチャート
【図９】本実施の形態によるチャネル設定の説明に供する図
【発明を実施するための形態】
【００１７】
以下、本発明の実施の形態について、図面を参照して詳細に説明する。
【００１８】
図１は、本発明の実施の形態に係る医療用テレメータシステムの構成を示す概略図である。医療用テレメータシステム１０は、テレメータ送信機２０と、テレメータ受信機１００とを有する。
【００１９】
テレメータ送信機２０は、患者に装着されて用いられる。勿論、テレメータ送信機２０の装着対象は患者以外でも検査を受ける被検者であればよい。テレメータ送信機２０は、患者の心電図波形、呼吸波形、脈波波形、血圧、体温、酸素飽和度などの生体情報をセンシングする機能と、その生体情報を無線送信する機能とを有する。
【００２０】
テレメータ受信機１００は、手のひらに収まる程度の大きさであり、医療従事者が携帯して用いることができるようになっている。テレメータ受信機１００は、テレメータ送信機２０から送信された無線信号を復調することで生体情報を取得し、これを表示部に表示する。
【００２１】
図２は、テレメータ受信機１００の外観構成を示す斜視図である。テレメータ受信機１００は、表示部１０１と、電源キー１０２と、スキャンキー１０３と、画面切換キー１０４と、音量調整キー１０５と、記録開始キー１０６とを有する。ユーザーによってスキャンキー１０３が押下されると、テレメータ受信機１００はチャネルスキャンを行ってテレメータ送信機２０が使用しているチャネルの検出を行う。画面切換キー１０４が押下されると、テレメータ受信機１００は表示部１０１に表示する画面を切り換える。例えば、画面切換キー１０４が押下されるたびに、波形及び数値の両方を表示する画面と、数値のみを表示する画面とで、画面が切り換えられる。記録開始キー１０６が押下されると、生体情報を例えば挿入されたＳＤカードに記録する。
【００２２】
図３は、表示部１０１に表示される表示画面の例である。表示部１０１には、心拍数（ＨＲ）、呼吸数（ＲＲ）、酸素飽和度（ＳｐＯ２）、非観血血圧（ＮＩＢＰ）、心電図波形（ＥＣＧ１）、脈波波形ＰＲが表示される。これに加えて、表示部１０１には、テレメータ受信機１００のチャネル番号１０７が表示される。図３の例では、チャネル番号１０７は「６００８」である。
【００２３】
図４は、テレメータ受信機１００の構成を示すブロック図である。なお、図４は主に受信に関わる構成のみを示してある。テレメータ受信機１００は、受信部１１０によって信号を受信し復調する。受信部１１０は、アンテナ１１１で受信した信号を増幅部１１２で増幅してミキサー１１３に出力する。ミキサー１１３は、周波数生成部１１４によって生成されたチャネル周波数信号を用いて受信信号を周波数変換（ダウンコンバート）して出力する。ミキサー１１３から出力された信号はバンドパスフィルタ（ＢＰＦ）１１５を介して復調部１１６に入力される。復調部１１６によって復調された信号は、表示部１０１及びチャネル検出部１２０に出力される。
【００２４】
チャネル検出部１２０は、受信部１１０から出力された復調信号を入力すると共に、周波数生成部１１４から現在生成しているチャネル周波数のチャネル番号を入力する。チャネル検出部１２０は、復調信号の信号強度を所定の閾値と比較し、その信号強度が閾値以上となった場合、現在の受信復調に用いているチャネル番号を表示部１０１に表示する。このチャネル番号は、ユーザーが見易いように表示部１０１に大きく表示される。
【００２５】
ユーザーによってスキャンキー１０３が押下されると、周波数生成部１１４は生成するチャネル周波数を順次大きくするようになっている。これにより、低い周波数のチャネルから高い周波数のチャネルへとチャネルスキャンが行われる。
【００２６】
また、ユーザーによって画面切換キー１０４が押下されると、表示部１０１の画面がチャネル設定用の画面からモニタ用の画面（つまり図３に示すような生体情報を表示する画面）へと切換られると共に、周波数生成部１１４で生成されるチャネル周波数が現在のチャネル周波数に固定される。つまり、現在のチャネル周波数が監視チャネルとして設定される。
【００２７】
図５は、本実施の形態によるテレメータ受信機１００のチャネル設定手順を示すフローチャートである。
【００２８】
テレメータ受信機１００は、ステップＳ１０で処理を開始すると、ステップＳ１１でスキャンキー１０３が押下されるのを待ち受け、スキャンキー１０３が押下されるとステップＳ１２に進む。ステップＳ１２では、周波数生成部１１４が受信チャネル（つまり生成するチャネル周波数）を切り換えて、ステップＳ１３では、そのチャネル周波数での受信が行われる。
【００２９】
ステップＳ１４では、チャネル検出部１２０が、復調された信号の信号強度が閾値以上か否か判定し、閾値以上の場合には、ステップＳ１５で現在のチャネル番号を記憶し、ステップＳ１６で表示部１０１に現在のチャネル番号を表示させる。
【００３０】
続くステップＳ１７において、画面切換キー１０４が押下されると、ステップＳ１８に進んで現在のチャネルを監視チャネルと設定し、続くステップＳ２２でチャネル設定手順を終了する。これに対して、ステップＳ１７で画面切換キー１０４が押下されず、ステップＳ２０でスキャンキー１０３が押下されると、ステップＳ１９に移る。
【００３１】
ステップＳ１９において現在のチャネルが最終チャネルであると判断すると、ステップＳ２１に移って、表示部１０１に閾値を越えるチャネルが検出されなかったことを示すメッセージ（設定エラーメッセージ）を表示する。これに対して、ステップＳ１９において現在のチャネルが最終チャネルでないと判断すると、ステップＳ１２に移って、周波数生成部１１４が受信チャネル（周波数チャネル）を次に周波数の大きい受信チャネルに切り換える。ここで最終チャネルとは、全てのチャネルを周波数順にスキャンする場合における最終のチャネルを意味する。例えば、チャネル１，２，３，４，………，１０の順に周波数が大きくなり、チャネル３からスキャンを開始したとすると、最終チャネルはチャネル２である。
【００３２】
このように、テレメータ受信機１００は、信号強度が閾値以上となったときにそのチャネル番号を表示部１０１に表示し、ユーザーはその表示されたチャネル番号がテレメータ送信機２０の表示部やラベルにより表示されたチャネル番号に一致するか否かを確認し、一致する場合には、画面切換キー１０４を押下する。このとき、テレメータ受信機１００の監視チャネルがそのチャネル番号に設定される。これに対して、表示部１０１に表示されたチャネル番号がテレメータ送信機２０に表示されたチャネル番号に一致しない場合には、ユーザーはスキャンキー１０３を押下する。このとき、周波数生成部１１４により生成されるチャネル周波数が順次大きくされることでチャネルスキャンが行われ、信号強度が閾値以上となったときに再びそのときのチャネル番号が表示され、再びユーザーによる確認操作が行われる。
【００３３】
図６を用いて、本実施の形態のチャネル設定のイメージについて説明する。
【００３４】
テレメータ受信機１００は、チャネル周波数の低いチャネルからチャネル周波数の高いチャネルへと順次チャネルスキャンを行っていく。そして、チャネルＣｈ１からスタートしてチャネルＣｈ３で初めて信号強度が閾値を超えたとすると、このチャネルＣｈ３のチャネル番号を表示部１０１に表示する。このチャネルＣｈ３のチャネル番号がユーザーによって正しいチャネル番号であると確認され画面切換キー１０４が押下されると、チャネルＣｈ３のチャネル番号を監視チャネルに設定して、そこでチャネルスキャンを終了する。
【００３５】
一方、チャネルＣｈ３のチャネル番号がユーザーによって正しくないと確認されスキャンキー１０３が押下されると、チャネルＣｈ３に続くチャネルＣｈ４から再度チャネルスキャンを行う。図６の例では、チャネルＣｈ５が次の候補チャネルとして検出されて表示される。このチャネルＣｈ５のチャネル番号についても同様にユーザーによる確認作業が行われる。
【００３６】
このように、本実施の形態では、チャネル検出部１２０で検出された候補チャネルが目的のチャネルでないと確認されると、再度最初のチャネル（すなわち一番周波数の低いチャネル）からスキャンを行うのではなく、候補から外れたチャネルに続くチャネルからスキャンを開始するようになっている。つまり、再度チャネルスキャンを開始する場合には、それまでの候補チャネルを検出するまでにスキャンしたチャネル以外のチャネルをスキャンする。これにより、一度スキャンしたチャネルは重複してスキャンされることがないので、最終的に目的のチャネルが設定されるまでにスキャンするチャネル数を減らすことができ、目的のチャネルを設定するまでに要する時間を短縮できる。
【００３７】
また本実施の形態では、全てのチャネルをスキャンするのでなく、最初に閾値を超えた候補チャネルが見つかると、そこで一旦スキャンを止めて、ユーザーによる確認作業を行うようになっている。
【００３８】
なお、ここまでの例では、テレメータ受信機１００がチャネルスキャンのみを行う場合について述べたが、先ず、帯域（バンド）スキャンを行ってからチャネルスキャンを行うようにしてもよい。
【００３９】
ここで、電子情報技術産業協会（ＪＥＩＴＡ）によって決められた「小電力医用テレメータの運用規定」によれば、図７に示すような、バンド及びチャネルが割り当てられている。図７Ａに示すように、４２０〜４５０ＭＨｚの範囲に６つのバンド１〜６が割り当てられている。また、図７Ｂに示すように、各バンド１〜６には、４０、８０又は１２０個のチャネルが割り当てられている。因みに、各チャネルの間隔は、１２．５ｋＨｚである。
【００４０】
図５との対応部分に同一符号を付して示す図８は、帯域（バンド）スキャンを行ってからチャネルスキャンを行うチャネル設定手順を示すフローチャートである。
【００４１】
テレメータ受信機１００は、ステップＳ３０で処理を開始すると、ステップＳ３１でスキャンキー１０３が押下されるのを待ち受け、スキャンキー１０３が押下されるとステップＳ３２に進む。ステップＳ３２では、周波数生成部１１４で生成する周波数及びバンドパスフィルタ（ＢＰＦ）１１５での通過帯域を切り換えることにより、受信帯域を切り換える。そして、続くステップＳ３３ではその帯域での受信が行われる。具体的には、最初に図７に示したバンド１の受信を行い、次にバンド２、次にバンド３、………といったように順次周波数の低い帯域から周波数の高い帯域を受信する。
【００４２】
ステップＳ３４では、チャネル検出部１２０が、復調された信号の信号強度が閾値以上か否か判定し、閾値以上の場合には、ステップＳ３５で現在の帯域を記憶し、ステップＳ３６でその帯域のうち一番低い周波数チャネルを記憶する。
【００４３】
続くステップＳ１２−Ｓ２１の処理手順は、図５で説明した通りである。
【００４４】
図９を用いて、図８のチャネル設定手順のイメージについて説明する。
【００４５】
テレメータ受信機１００は、信号強度が閾値以上の帯域を検出するまで、ステップＳ３２−Ｓ３３−Ｓ３４−Ｓ３７−Ｓ３２のループを繰り返すことで、周波数の低い帯域（バンド）から周波数の高い帯域へと順次帯域単位でスキャンを行っていく。そして、バンド１からスタートしてバンド４で初めて信号強度が閾値を超えたとすると、次に、ステップＳ１２以降でそのバンド４に含まれる８０個のチャネル（図７Ｂ）についてチャネルスキャンを行って信号強度が閾値以上のチャネルをスキャンする。ここでバンド４に含まれるチャネルの中に信号強度が閾値以上のチャネルが無かった場合には、バンド４の次に周波数の高いバンド５から再度帯域スキャンを行う。この処理は、ステップＳ１９−Ｓ３７−Ｓ３２の手順で行われる。
【００４６】
このように、図８のチャネル設定手順では、先ず、帯域（バンド）スキャンを行って信号強度が閾値以上のバンドを検出し、次にそのバンドの中でチャネルスキャンを行うようにしたことにより、全てチャネルを順次スキャンする場合と比較して、スキャンの回数（つまり周波数生成部１１４による周波数切換、及びバンドパスフィルタ１１５のフィルタ特性の切換の回数）が大幅に減る確率が高くなる。特に、周波数及びフィルタ特性を切り換えると、出力信号が安定するまでにある程度の時間を要するので、スキャン回数を減らすことで、短時間で目的のチャネルを見つけることができるようになる。
【００４７】
以上説明したように、本実施の形態によれば、受信信号をチャネルスキャンし、閾値以上の信号強度が得られたチャネルを候補チャネルとして表示し、ユーザー操作に応じて候補チャネルを監視チャネルに設定したことにより、チャネル設定を容易かつ確実に行うことができ、モニタする患者の取り違えによる医療事故を防ぐことができるテレメータ受信機１００を実現できる。
【００４８】
すなわち、自動的にチャネルをスキャンする機能と、ユーザーによる確認作業を受け付ける機能とを設けたことにより、チャネル設定の容易さとチャネル設定の確実さとを両立できるようになる。
【００４９】
ここで、受信信号の信号強度が最も高いチャネルを目的のチャネルとして自動設定してしまうと、誤ってチャネルを設定してしまうおそれがある。例えば、テレメータ受信機に対して壁を隔てて設定目的以外のテレメータ送信機が存在する場合などである。この壁を隔てて存在する設定目的以外のテレメータ送信機までの距離が、設定目的のテレメータ送信機までの距離よりも近かった場合には、テレメータ受信機に設定されるチャネルが壁を隔てて存在するテレメータ送信機のチャネルに誤って設定されることになる。しかし、ユーザー（管理者）は、壁を隔てて存在するテレメータ送信機に気がつかないので、テレメータ受信機が誤設定したことを認識できない。このような場合には、意図しない患者の生体情報をモニタするなどの取り違えが発生するので、重大な医療事故に繋がるおそれがある。
【００５０】
この誤設定の可能性は、例えばリハビリテーションを行う部屋のように、テレメータ送信機を付帯した複数の人が移動する環境下で高まる。つまり、このような環境下では、設定目的の１つのテレメータ送信機のみがテレメータ受信機の近くに存在するとは限らず、設定目的以外のテレメータ送信機がユーザー（管理者）の知らないうちに設定目的のテレメータ送信機よりも近くに或いは同じくらいの距離の位置に移動してきていることもあり、このような場合に誤設定が生じる。
【００５１】
本実施の形態では、ユーザーの確認作業を受け付ける構成を有することにより、このような誤設定及び重大事故を防ぐことができる。
【００５２】
また、本実施の形態では、目視確認が必要な構成となっているので、チャネル設定時に必然的にテレメータ受信機１００とテレメータ送信機２０との距離が非常に近くなる。これにより、設定対象となるテレメータ送信機２０からの信号が他のテレメータ送信機からの信号よりも突出して大きくなる確率が高くなる。この結果、閾値を比較的大きな値に設定できる。これにより、閾値判定の結果として、設定目的のテレメータ送信機２０のチャネルのみが検出される可能性が増大する。このように、同程度の候補チャネルが少なくなるので、１回のスキャンで目的のチャネルを検出できる可能性が高まる。
【００５３】
また、本実施の形態の構成によれば、閾値判定により候補チャネルを検出し、その候補チャネルが目的のチャネルであると確認されれば、それ以降のチャネルのスキャンは行わないので、全てのチャネルをスキャンしてその中から信号強度が最大のチャネルを検出する場合と比較して、短い時間でチャネルを検出できる。
【００５４】
なお、上述の実施の形態では、画面切換キー１０４を、ユーザー操作に応じて候補チャネルを監視チャネルに設定する操作部として用いた場合について述べたが、本発明の操作部はこれに限らず、例えば監視チャネルを設定するための専用のキーを操作部として設けてもよい。
【００５５】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【産業上の利用可能性】
【００５６】
本発明は、医療用のテレメータ送信機からの信号を受信するテレメータ受信機に適用し得る。
【符号の説明】
【００５７】
１０  医療テレメータシステム
２０  テレメータ送信機
１００  テレメータ受信機
１０１  表示部
１０２  電源キー
１０３  スキャンキー
１０４  画面切換キー
１０５  音量調整キー
１０６  記録開始キー
１０７  チャネル番号
１１０  受信部
１１１  アンテナ
１１２  増幅部
１１３  ミキサー
１１４  周波数生成部
１１５  バンドパスフィルタ（ＢＰＦ）
１１６  復調部
１２０  チャネル検出部
【図１】
2015123187.tif 000003
【図２】
2015123187.tif 000004
【図３】
2015123187.tif 000005
【図４】
2015123187.tif 000006
【図５】
2015123187.tif 000007
【図６】
2015123187.tif 000008
【図７】
2015123187.tif 000009
【図８】
2015123187.tif 000010
【図９】
2015123187.tif 000011